(57)【要約】      （修正有）【課題】二酸化炭素（ＣＯ２）分離回収システムを有する発電設備と定格運転中に最小損失を呈するＣＯ２圧縮機とから構成される発電プラントを最適に運転するための方法を提供すること。【解決手段】蒸気タービン１０を駆動させるために発電設備１からの蒸気を使用して、ＣＯ２圧縮機７を発電機８によって駆動させることを可能にする。十分な量の蒸気が、発電設備から確保できる場合、当該蒸気タービンが、係合されたオーバーランニングクラッチ９を介してＣＯ２圧縮機を駆動させる。蒸気が、発電設備から十分に確保できない場合、当該発電機は、電動機として使用される。蒸気が確保不可能か又は蒸気の確保が不十分である時は、オーバーランニングクラッチが外れ、蒸気タービンが停止するか又はアイドリングする。【選択図】図１
2011256870.tif 000002
【特許請求の範囲】
【請求項１】
ＣＯ２分離回収システムを有する発電設備（１）とＣＯ２圧縮機（７）とから構成されている発電プラント（２０）において、
蒸気タービン（１０）が、オーバーランニングクラッチ（９）を介して発電機（８）に係合可能に連結されていて、前記発電機（８）は、電力を配電網に給電するためのこの配電網に接続可能であり且つ電動機として運転可能であり、前記発電機（８）は、前記ＣＯ２圧縮機（７）に機械式に連結されていることを特徴とする発電プラント（２０）。
【請求項２】
歯車が、前記ＣＯ２圧縮機（７）と前記発電機（８）との間に配置されていることを特徴とする請求項１に記載の発電プラント（２０）。
【請求項３】
前記発電機（８）は、前記ＣＯ２圧縮機（７）の運転速度に依存せずに前記発電機（８）の配電網接続を可能にするマトリクスコンバータを有する発電機又は発電機と周波数変換装置とを組み合わせたものであることを特徴とする請求項１又は２に記載の発電プラント（２０）。
【請求項４】
前記発電設備（１）は、ガスタービン、排ガスボイラ（２４）、蒸気タービン（３０）及びＣＯ２分離回収システム（２５）から構成されているコンバインドサイクル発電プラントであることを特徴とする請求項１〜３のいずれか１項に記載の発電プラント（２０）。
【請求項５】
燃料排ガス再循環流（４）が、前記コンバインドサイクル発電プラントのガスタービンの吸気（３）中に再循環されることを特徴とする請求項４に記載の発電プラント（２０）。
【請求項６】
前記発電プラント（２０）は、ＣＯ２マニホールド（１６）によって連結されている複数の発電設備（１）及び複数のＣＯ２圧縮機（７）から構成されていることを特徴とする請求項１〜５のいずれか１項に記載の発電プラント（２０）。
【請求項７】
前記ＣＯ２圧縮機（７）の設計運転速度が、商業周波数と異なることを特徴とする請求項１〜６のいずれか１項に記載の発電プラント（２０）。
【請求項８】
二酸化炭素（ＣＯ２）分離回収システム、発電機（８）、蒸気タービン（１０）及びＣＯ２圧縮機（７）から構成されている発電プラント（２０）を運転するための方法において、
前記蒸気タービン（１０）を駆動させる蒸気が十分に確保できない場合、前記発電機（８）は、ＣＯ２圧縮機に対してはＣＯ２圧縮機（７）を駆動するための電動機として運転されていること、及び、十分な蒸気が確保できる場合、前記蒸気タービン（１０）は、係合しているオーバーランニングクラッチを介して前記ＣＯ２圧縮機（７）を駆動させることを特徴とする発電プラント（２０）を運転するための方法。
【請求項９】
前記発電プラント（２０）の正常な定常状態の高い部分負荷及び／又はベース負荷運転中は、前記蒸気タービン（１０）が、前記オーバーランニングクラッチ（９）を介して係合され、前記ＣＯ２圧縮機（７）が、前記蒸気タービン（１０）によって駆動されることを特徴とする請求項８に記載の発電プラント（２０）を運転するための方法。
【請求項１０】
前記ＣＯ２圧縮機（７）を駆動させるために要求される電力を超えている前記蒸気タービン（１０）の余分の出力が、前記発電機（８）によって電力に変換され、配電網内に供給されることを特徴とする請求項９に記載の発電プラント（２０）を運転するための方法。
【請求項１１】
前記発電設備（１）の低い部分負荷運転及び／若しくは負荷中に、又は、コンバインドサイクル発電プラントの段階的な建設に起因して又はコンバインドサイクル発電プラントの蒸気部の故障停止に起因して確保できない場合、前記蒸気タービン（１０）が、前記オーバーランニングクラッチ（９）を介して係合されていないこと、及び、前記ＣＯ２圧縮機（７）が、この運転モード中に電動機として運転されている前記発電機（８）によって駆動されることを特徴とする請求項８〜１０のいずれか１項に記載の発電プラント（２０）を運転するための方法。
【請求項１２】
前記蒸気タービン（１０）は、前記オーバーランニングクラッチ（９）を介して前記発電機（８）及び前記ＣＯ２圧縮機（７）に係合されていて、前記発電機（８）は、電動機として運転されていて、蒸気が確保できるものの、前記蒸気タービン（１０）の電力出力が、前記ＣＯ２圧縮機（７）を駆動させるために要求される電力より小さい場合、前記蒸気タービン（１０）と前記発電機（８）との双方が、前記ＣＯ２圧縮機（７）を駆動させることを特徴とする請求項８に記載の発電プラント（２０）を運転するための方法。
【請求項１３】
複数の発電設備（１）から分離回収されたＣＯ２が、ＣＯ２マニホールドによって集められ、複数のＣＯ２圧縮機（７）によって圧縮されることを特徴とする請求項８〜１２のいずれか１項に記載の発電プラント（２０）を運転するための方法。
【請求項１４】
稼働している全てのＣＯ２圧縮機（７）にわたってＣＯ２質量流量を均等に分配するため、発電プラント（２０）の負荷が、部分負荷運転に対してＣＯ２圧縮機（７）を負荷解除する間に前記複数の発電設備（１）を異なる負荷レベルに対して負荷解除することによって減少されることを特徴とする請求項１３に記載の発電プラント（２０）を運転するための方法。
【請求項１５】
少なくとも１つのＣＯ２圧縮機（７）が、前記発電機（８）及び／又は前記蒸気タービン（１０）によって駆動されること、及び、前記ＣＯ２圧縮機（７）の速度が、ＣＯ２の流量を制御するために可変に調整されること、及び／又は、少なくとも１つの発電機（８）が、運転速度に依存しない配電網接続を可能にするためのマトリクスコンバータを有する発電機として構成されているか又は周波数変換装置を介して前記配電網に接続されていることを特徴とする請求項８〜１４のいずれか１項に記載の発電プラント（２０）を運転するための方法。
【発明の詳細な説明】
【技術分野】
【０００１】
本発明は、ＣＯ２の分離回収及び圧縮を実施する発電プラントを運転する方法及びこの方法を実施する発電プラントに関する。
【背景技術】
【０００２】
ＣＯ２（二酸化炭素）は、主要な温室効果ガスとして認識されている。ＣＣＳ（二酸化炭素の回収・貯蔵）は、温室効果ガスの大気中への放出を低減して地球温暖化を制御するための可能で優れた手段のうちの１つの手段として考えられている。この文中では、ＣＣＳは、ＣＯ２の回収、圧縮、搬送及び貯蔵のプロセスとして定義される。回収は、ＣＯ２が炭素系燃料の燃焼後の燃料排ガスから取り除かれるか又は燃焼前に炭素を取り除き処理するプロセスとして定義される。燃料排ガス又は燃料ガス流からＣＯ２を取り除くための吸収剤、吸着剤又はその他の手段の再生が、当該回収プロセスの一部とみなされる。
【０００３】
最終段階のＣＯ２の回収又はポストコンバッションは、ＣＣＰＰ（コンバインドサイクル発電プラント）を含む化石燃料発電プラントにとって商業的に前途有望な技術である。ＣＯ２が、最終段階の回収中に燃料排ガスから取り除かれる。残りの燃料排ガスは、大気中に放出される。当該ＣＯ２は、搬送及び貯蔵のために圧縮される。吸収、吸着、膜分離及び極低温分離のような燃料排ガスからＣＯ２を取り除くために知られている幾つかの技術が存在する。
【０００４】
燃料排ガスからＣＯ２を取り除くために要求されるエネルギーのほかに、ＣＯ２を圧縮するために要求されるエネルギーが重要である。ＣＯ２の圧縮に起因した性能ペナルティーを最小限にするため、ＣＯ２圧縮機を駆動させるために蒸気タービンを使用することが提唱されている。しかしながら、これらの蒸気タービンは、十分な量の生蒸気の供給力に依存する。この蒸気は、発電プラントの始動中及び／又は部分負荷運転中は確保できない。発電プラントは、発電プラントの種類によっては蒸気が確保できるまで相当な時間を要する。したがって、より柔軟なＣＯ２圧縮機の運転に対しては、ＣＯ２圧縮機は、一般に電動機によって動力供給される。当該電動機は、運転の柔軟性を増大させるものの、発電機及び電動機に関する追加の経費、電力損失及び効率損失を招く。
【先行技術文献】
【特許文献】
【０００５】
【特許文献１】ヨーロッパ特許第1973222号明細書
【発明の概要】
【発明が解決しようとする課題】
【０００６】
本発明の主な課題は、二酸化炭素（ＣＯ２）分離回収システムを有する発電設備と設計点に対する定格運転中に最小損失を呈するＣＯ２圧縮機とから構成される発電プラントを最適に運転するための方法を提供することにある。
【課題を解決するための手段】
【０００７】
この方法は、ＣＯ２分離回収システム及び圧縮機の柔軟な部分負荷運転を可能にする。ＣＯ２圧縮機の、ＣＯＥ（電力費）に関する影響が、この課題によって低減され得る。この課題は、商業用発電プラントに対する二酸化炭素の回収・貯蔵（ＣＣＳ）の早期の導入にとって有益である。
【０００８】
この文中では、発電設備又は発電ユニットが、例えばガスタービン、コンバインドサイクル又は水蒸気サイクル運転による石炭燃料ボイラーとしての化石燃料発電プラントと、ＣＯ２分離回収装置とから構成される。
【０００９】
本発明の要旨は、柔軟な運転方法である。この方法は、発電ユニットからの蒸気を蒸気タービン駆動させるために使用することを可能にする。十分な量の蒸気が、当該発電ユニットから確保可能である場合、この蒸気タービンは、係合されたオーバーランニングクラッチを介してＣＯ２圧縮機を駆動させ、発電機によってＣＯ２圧縮機を駆動させる。十分でない蒸気が、発電ユニットから入手可能である場合、この発電機は、電動機として使用される。蒸気が確保不可能か又は蒸気の確保が不十分である時は、オーバーランニングクラッチが外れ、蒸気タービンが停止するか又はアイドリングする。
【００１０】
ＣＯ２圧縮機の当該柔軟な運転を実現し、同時に電動機を駆動させる発電機に起因した電力損失及び効率損失を阻止できるようにするため、及び電動機の損失を阻止するため、ＣＯ２圧縮機を発電機及び蒸気タービンと共に１つのシャフト上に配置することが提唱される。
【００１１】
この配置では、蒸気が確保できない場合、蒸気タービンが、（フリーホイールクラッチ又はＳＳＳクラッチとしても公知の）オーバーランニングクラッチによって発電機から遮断され得る。次いで、ＣＯ２圧縮機が、当該発電機によって駆動される。この発電機は、例えばＳＦＣ（静止形周波数変換装置）を使用する電動機として運転され得る。
【００１２】
ＣＯ２圧縮機の部分負荷運転の効率を向上させるため、発電機が、静止形周波数変換装置又はその他の周波数変換装置によって可変速度で運転され得る。ＣＯ２圧縮機が、当該発電機単体によって低速で駆動される場合及び蒸気タービン又は蒸気タービン及び発電機の双方の組み合わせによって高速で駆動される場合、可変速度運転が可能である。
【００１３】
一般に、発電プラントの正常な定常状態の高い部分負荷及び／又はベース負荷運転中は、蒸気タービンが、オーバーランニングクラッチを介して係合され、ＣＯ２圧縮機が、この蒸気タービンによって駆動される。
【００１４】
蒸気タービンは、例えば発電機及びＣＯ２圧縮機を駆動させるために寸法決めされている。したがって、発電プラントは通常は、ＣＯ２圧縮機を駆動させるために要求される電力を超えている蒸気タービンの余分の出力が、当該発電機によって電力に変換され、配電網内に供給されるように運転される。一実施の形態では、蒸気タービンの出力が、設計条件に対してＣＯ２の出力要求量を加えた発電機の能力に等しいように、当該蒸気タービンが寸法決めされている。
【００１５】
さらなる実施の形態では、低い部分負荷運転の間及び／又は蒸気タービンがオーバーランニングクラッチを介して係合されていない間に、ＣＯ２圧縮機が、発電機によって駆動されるように、発電プラントが運転される。当該発電機は、この運転モード中は電動機として運転される。低い部分負荷は通常は、発電プラントのベース負荷の３０％未満の負荷であるものの、発電プラントの設計に応じて、低い部分負荷運転が、発電プラントのベース負荷の５０％までなり得る。蒸気が、コンバインドサイクル発電プラントの段階的な建設に起因して又はコンバインドサイクル発電プラントの蒸気部の故障停止に起因して確保できない場合、当該発電機を、ＣＯ２圧縮機を駆動させるための電動機として使用することも有益である。このコンバインドサイクル発電プラントでは、ガスタービンが、シングルサイクルで運転される。
【００１６】
さらに、蒸気タービンが、オーバーランニングクラッチを介して発電機及びＣＯ２圧縮機に係合され、当該蒸気タービン及び発電機の双方が、当該ＣＯ２圧縮機を駆動させる発電プラントの運転が考えられる。この運転モードは、蒸気が蒸気タービンを駆動させるために確保できるものの、蒸気タービンの電力出力がＣＯ２圧縮機を駆動させるために要求される電力より小さい負荷状態に適している。
【００１７】
さらに、本発明の別の実施の形態では、発電プラントが、複数の発電設備から構成される。分離回収されたＣＯ２が、少なくとも１つのＣＯ２マニホールドによってこれらの発電設備から集められる。このＣＯ２マニホールドによって集められたＣＯ２は、複数のＣＯ２圧縮機によって圧縮される。ＣＯ２をＣＯ２マニホールド内に集めること及び当該ＣＯ２を複数のＣＯ２圧縮機内で圧縮することは、ＣＯ２の圧縮の柔軟性を向上させ、部分負荷でのＣＯ２の圧縮の効率を向上させ得る。１つの発電ユニットから分離回収されたＣＯ２の量が、電力出力に比例する。１つのＣＯ２圧縮機が、１つの発電ユニットからのＣＯ２を圧縮するために使用される場合、圧縮機は、ＣＯ２の流量の減少に比例して負荷解除される必要がある。しかしながら、ＣＯ２圧縮機の効率は、流速の減少と共に減少し、約７０％の設計流量より下の流速で低下し、約５０％の設計流量より下の流速に対して劇的に減少する。ＣＯ２をマニホールド内に集めること及び複数のＣＯ２圧縮機による圧縮は、ＣＯ２圧縮機を設計点の近くで運転させることを可能にする。
【００１８】
例えば、７０％で稼働している４つの発電ユニット及び４つのＣＯ２圧縮機を有する発電プラントは、ベース負荷の７０％と７５％の間でＣＯ２を生産する。約７０％でのＣＯ２圧縮機の運転は、深刻な性能ペナルティーを招きうる。当該提唱したマニホールド及び運転コンセプトは、１つのＣＯ２圧縮機を停止させ、全てのＣＯ２の流量を残っている３つの運転可能なＣＯ２圧縮機で圧縮することを可能にする。この場合、当該残っている３つの運転可能なＣＯ２圧縮機は、これらのＣＯ２圧縮機の設計点の近くで高効率に稼働する。
【００１９】
さらに、例えば、オペレーターが、性能又は耐用年限の理由のために当該発電ユニットのうちの１つの発電ユニットを異なる負荷レベルで運転することを決定した場合、当該ＣＯ２圧縮機が、その１つの発電ユニットに追従する。最低の負荷レベルで稼働しているこの発電ユニットは、最低のＣＯ２質量流量でこれに応じて低い効率で稼働する。ＣＯ２の圧縮に対する全体の効率は、稼働している全てのＣＯ２圧縮機にＣＯ２の質量流量を均等に分配することによって上げられ得る。
【００２０】
ＣＯ２圧縮機の柔軟性をさらに増大させるため、及びＣＯ２圧縮機の部分負荷での効率を向上させるため、少なくとも１つのＣＯ２圧縮機を可変速度で運転することが提唱される。少なくとも１つのＣＯ２圧縮機を可変速度で運転するため、このＣＯ２圧縮機は、速度制御装置を有する発電機若しくは蒸気タービン又はこれらの双方によって駆動される。発電機の可変速度運転を可能にするため、発電機は、例えば運転速度に依存しない配電網接続を可能にするためのマトリクスコンバータ又はその他の種類の周波数変換装置を有する発電機として構成され得る。「マトリクスコンバータを有する発電機」とも呼ばれる発電機とマトリクスコンバータとの最適な組み合わせが、例えば先行技術文献として示されているヨーロッパ特許第1973222号明細書から公知である。
【００２１】
本発明の一実施の形態は、ＣＯ２圧縮機を有する発電プラントの始動、部分負荷運転及び停止を実施する方法に関する。ＣＯ２が、１つの発電ユニットから分離回収されると、蒸気タービンを駆動させるための蒸気が確保できないか又は十分な蒸気が確保できない場合は発電機のアシストを受けて、ＣＯ２圧縮機が始動され運転され得る。当該蒸気タービンが、オーバーランニングクラッチのアシストを受けて発電機から遮断される。当該蒸気タービンが一端始動すると、十分な量の蒸気が、負荷中に確保可能である。蒸気タービンが、運転速度に達した時に、クラッチが係合する。蒸気タービンの出力が増大すると共に、ＳＦＣ制御される発電機の出力が低減される。蒸気タービンの出力が、ＣＯ２圧縮機を駆動させるのに十分である時点で、静止形周波数変換装置が遮断され、当該発電機が、配電網に同期され得る。次いで、蒸気タービンの出力がさらに増大され、当該発電機が当該配電網に同期され、電力が当該配電網に供給され得る。負荷解除及び停止は、逆順に実施される。当該蒸気タービンの出力が、ＣＯ２圧縮機を駆動させるには小さ過ぎると、ＣＯ２圧縮機の直接の停止も考えられる。
【００２２】
当該方法のほかに、この方法を可能にするために設計された発電ユニットを構成する発電プラント、ＣＯ２分離回収システム及びＣＯ２圧縮機が、本発明の対象である。説明した当該方法を可能にするため、ＣＯ２圧縮機が、発電機及び蒸気タービンを有する１つのシャフト上に配置されている。この蒸気タービンは、オーバーランニングクラッチを介して発電機に係合可能に連結されている。この発電機自体が、ＣＯ２圧縮機に連結されている。
【００２３】
当該発電機は、発電機として運転される場合は配電網に給電するための当該配電網に接続可能であり、電動機として運転され得る。発電プラントの柔軟性をさらに増大させるため、発電機は、この発電機の配電網接続を可能にし、ＣＯ２圧縮機の可変運転速度を可能にするマトリクスコンバータを有する発電機として構成され得る。
【００２４】
別の実施の形態では、高速で稼働するＣＯ２圧縮機を駆動させるため、機械式歯車が、発電機と発電機との間に配置されている。したがって、商用周波数、例えば５０Ｈｚ又は６０Ｈｚで稼働する発電機及び／又は蒸気タービンでさえも、当該ＣＯ２圧縮機はより高速で運転され得る。一般に、歯車は、１．５より大きい速度伝達比を有する。例えば、１００Ｈｚの速度を有するＣＯ２圧縮機が、歯車を介して５０Ｈｚで稼働している発電機又は蒸気タービンによって駆動され得る。
【００２５】
別の実施の形態では、ＣＯ２圧縮機、発電機及び蒸気タービンが、商用周波数と異なる速度で稼働する。速度又は周波数は通常は、ＣＯ２圧縮機の寸法及び設計に応じて商業周波数より高い。より高い速度で運転を可能にするため、ＣＯ２圧縮機を駆動させる発電機は、マトリクスコンバータを有する発電機又は発電機と周波数変換装置とを組み合わせたものである。さらに、蒸気タービンは、ＣＯ２圧縮機を高い速度で運転させるために設計されている。
【００２６】
一実施の形態では、発電ユニットは、ガスタービン、ＨＲＳＧ（排ガスボイラ）及び蒸気タービンから構成されるＣＣ（コンバインドサイクル発電プラント）である。ＨＲＳＧ及びＣＣの蒸気タービンは通常は、マルチプレッシャーシステムである。例えば、蒸気を高圧タービン、中圧タービン及び低圧タービンに供給する三重圧式のＨＲＳＧが、この用途に対して適している。
【００２７】
ＣＣ発電プラントのプラント最適化のため、ガスタービンを始動するためのガスタービン発電機に接続可能である静止形周波数変換装置も、この発電機に接続可能である。この発電機は、ＣＯ２圧縮機のシャフト上に配置され、このＣＯ２圧縮機を連続的に駆動させるために寸法きめされ設計されている。
【００２８】
ＣＣから構成されている発電プラントのさらなる実施の形態では、ＣＣガスタービンの排気ガスの一部が、ガスタービンの吸気中に再循環されて、排気ガス中の二酸化炭素を増大させる結果、効果的なＣＯ２の除去を促進する。
【００２９】
一実施の形態では、発電プラントが、複数の発電ユニットと複数のＣＯ２圧縮機とから構成される。これらの発電ユニットの燃焼排ガスから分離回収されたＣＯ２が、配管を含む少なくとも１つのＣＯ２マニホールド内に集められ、次いで搬送されて当該ＣＯ２圧縮機に供給される。
【００３０】
一実施の形態では、複数の発電機のうちの少なくとも１つの発電機が、マトリクスコンバータを有する発電機として構成されている。少なくとも１つの発電機が、配電網に直接接続されていて且つ商業周波数で運転される。このマトリクスコンバータを有する発電機は、ＣＯ２圧縮機の効果的な部分負荷運転を可能にする。ＣＯ２質量流量の変化量は、可変速度で稼働している少なくとも１つの当該発電機によって主に調整される。ＣＯ２質量流量の大きい変化は、ＣＯ２圧縮機をオン・オフすることによって調整される。
【図面の簡単な説明】
【００３１】
【図１】ＣＯ２分離回収システム、ＣＯ２圧縮機、発電機及びＣＯ２圧縮機を駆動する蒸気タービンを有する発電プラントを概略的に示す。
【図２】ＣＯ２分離回収システム、ＣＯ２圧縮機、発電機及びＣＯ２圧縮機を駆動する蒸気タービンを有するコンバインドサイクル発電プラントを概略的に示す。
【図３】ＣＯ２分離回収システム、ＣＯ２圧縮機、発電機及びＣＯ２圧縮機を駆動する背圧蒸気タービンを有するコンバインドサイクル発電プラントを概略的に示す。
【図４】複数のＣＯ２分離回収システムを有する複数の発電設備と複数のＣＯ２圧縮機とを備えた発電プラントを概略的に示す。各ＣＯ２圧縮機は、１つの発電機とこのＣＯ２圧縮機を駆動する蒸気タービンとにシャフトを介して連結されて配置されている。
【図５】１つのＣＯ２分離回収システム及び１つのＣＯ２圧縮機を有するコンバインドサイクル発電プラントを概略的に示す。このコンバインドサイクル発電プラントでは、ＣＯ２圧縮機が、このコンバインドサイクル発電プラントの蒸気タービン及び／又は発電機によって駆動される。
【発明を実施するための形態】
【００３２】
以下に、添付図面に基づいて本発明、その性質及びその利点を詳しく説明する。
【００３３】
提唱された方法を実施する発電プラントは、ＣＯ２分離回収システムを有する発電設備１、ＣＯ２圧縮機７、発電機８、オーバーランニングクラッチ９及び蒸気タービン１０から構成される。
【００３４】
典型的な配置が、図１中に示されている。燃料２及び周囲空気３が、発電設備１に供給される。発電設備１は、少なくとも１つの蒸気サイクルを有する通常の化石燃料発電プラントから構成される。この発電設備１は、例えばコンバインドサイクル発電プラント、通常の石炭火力蒸気発電プラント又は石炭ガス化複合発電プラントでもよい。この発電設備は、ＣＯ２分離回収システムから構成される。このＣＯ２分離回収システムは、発電工程中に発生したＣＯ２を取り除く。一般に、ＣＯ２は、最終段階の分離回収工程中に燃料排ガスから取り除かれるものの、石炭ガス化複合発電プラントの場合のように、発電工程中に取り除かれてもよい。
【００３５】
送電線３６を経由して配電網に給電される電力のほかに、当該発電設備は、ＣＯ２が減損した燃料排ガス５を生産する。当該燃料排ガス５は、濃縮ＣＯ２  ６の大量の流量を経て大気に放出される。さらに、生蒸気１５が、発電設備１の蒸気サイクルから分岐される。
【００３６】
さらに、発電プラント２０は、シャフト３５に沿って配置されているＣＯ２圧縮機７、発電機８及び蒸気タービン１０を有する。蒸気タービン１０は、オーバーランニングクラッチ９を介して発電機８に係合可能に連結されている。
【００３７】
蒸気タービン制御バルブ１７が、蒸気タービン１０を駆動させる生蒸気１５の流量を制御する。十分な蒸気が確保可能である場合、蒸気タービン１０が、稼働可能であって自動的に係合するオーバーランニングクラッチ９及びシャフト３５を介して発電機８及びＣＯ２圧縮機７を駆動させる。蒸気タービン１０は、発電機８と組み合わせたＣＯ２圧縮機７だけを駆動するために稼働され得るか又はＣＯ２圧縮機７及び発電機８を駆動するために稼働され得る。
【００３８】
蒸気タービン１０が、ＣＯ２圧縮機だけを駆動させる場合、発電機８は、好ましくは励磁なしにアイドル回転する。
【００３９】
蒸気タービン１０が、発電機８と共にＣＯ２圧縮機７を駆動させる場合、発電機は、静止形周波数変換装置１１でアシストされつつ電動機として稼働される。図示された例では、発電機８が、静止形周波数変換装置の電気接続１２を経由して静止形周波数変換装置１１に接続されている。この静止形周波数変換装置１１自体が、静止形周波数変換装置の配電網接続１３によって配電網に接続されている。
【００４０】
蒸気タービン１０が、ＣＯ２圧縮機７及び発電機８を駆動させる場合、発電機８は、配電網接続１４を通じて配電網１４に電力を配電する。
【００４１】
蒸気タービン１０を駆動させるための蒸気が確保できないか又は十分に確保できない場合、オーバーランニングクラッチが係合しないで、蒸気タービンが停止したままか又は減速してアイドリング状態にある。この場合、発電機８が、ＣＯ２圧縮機７を駆動させる。発電機８は、静止形周波数変換装置１１でアシストされて電動機として再稼働される。図示された例では、発電機８が、静止形周波数変換装置の電気接続１２を経由して静止形周波数変換装置１１に接続されている。この静止形周波数変換装置１１自体が、静止形周波数変換装置の配電網接続１３によって配電網に接続されている。
【００４２】
電気スイッチ、制御線等は、本発明の課題ではないので、当該電気接続は、これらの電気スイッチ、制御線等なしに概略的に示されている。同じ理由のため、コントローラ及び測定センサは示されていない。
【００４３】
図２は、発電設備１としてコンバインドサイクル発電プラントを有する例を示す。このＣＣは、ガスタービン、排ガスボイラ（ＨＲＳＧ）２４及びＣＯ２分離回収システム２５を有する。
【００４４】
当該ガスタービンは、少なくとも１つの圧縮機２１、少なくとも１つの燃焼室２２及び少なくとも１つのタービン２３を有する。一般に、発電機が、ガスタービンの低温の端部、例えばガスタービンの圧縮機の端部に接続されている。
【００４５】
流入ガスが、定格運転中に圧縮機２１内で圧縮される。当該圧縮ガスが、燃焼室２２内で燃料２を燃焼するために使用される。そして、加圧された高温ガスが、タービン２３内で膨張する。このタービン２３の主な出力は、配電網への電力及び高温の燃焼排ガス３４である。異なる蒸気圧力レベル、給水ポンプ等は、本発明の課題ではないので、蒸気サイクルは、これらの異なる蒸気圧力レベル、給水ポンプ等なしに簡略化して概略的に示されている。
【００４６】
当該ガスタービンの高温の燃焼排ガス３４は、ＨＲＳＧ２４通過する。このＨＲＳＧ２４は、蒸気タービン３０用の生蒸気１５を発生させる。蒸気タービン３０は、ガスタービン及びＧＴ発電機２８を有するシングルシャフト構造内に配置されているか又は図２中に示されたようにＳＴ発電機３２を駆動させるマルチシャフト構造内に配置されている。さらに、蒸気が、抽出され、蒸気配管２６を経由してＣＯ２分離回収システム２５に供給される。蒸気は、低圧及び低温で又は復水として戻り配管１９を経由して蒸気サイクルに戻され、この蒸気サイクルに再導入される。異なる蒸気圧レベル、給水ポンプ等は、本発明の課題ではないので、この蒸気サイクルは、当該異なる蒸気圧レベル、給水ポンプ等なしに簡略化され概略的に示されている。一般に、排出水蒸気は、ＣＯ２分離回収システム２５で使用される。この排出水蒸気は、例えば圧縮機３０から抽出される。
【００４７】
ＣＯ２分離回収システム２５の効率を向上させるため、ＨＲＳＧ２４からの燃焼排ガスの部分流が、燃料排ガス再循環流のために分岐される。この燃焼排ガスの部分流４は、ガスタービンの圧縮機２１の吸気口へ再循環される。この燃焼排ガスの部分流４は、周囲空気３と混合される。一般に、この燃焼排ガスの部分流４は、周囲空気３と混合する前に（図示しなかった）再循環燃料排ガス冷却器内で冷却される。
【００４８】
ＨＲＳＧ２４からの燃料排ガスの残りの燃料排ガスは、ＣＯ２分離回収システム２５に向けられる。一般に、燃料排ガスの分流は、ダンパーによって制御され得る。燃料排ガス流を強めるため及び再循環率を制御するため、燃料排ガス流又はＣＯ２分離回収システムに対する可変速燃料排ガス送風機が設置されてもよい。さらに、燃料排ガス送風機又は再循環用の可変速燃料排ガス送風機が設置されてもよい。一般に、この送風機は、燃料排ガス再循環流４を周囲空気３と混合する前の、再循環燃料排ガス冷却器の下流に設置される。
【００４９】
ＣＯ２が減損した燃焼排ガス５は、ＣＯ２分離回収システム２５からスタックを経由して環境へ放出される。ＣＯ２分離回収システム２５が稼働していない場合、（図示しなかった）燃料排ガスバイパスが、ＣＯ２分離回収システム２５を迂回するために一般に考えられる。濃縮ＣＯ２  ６が、ＣＯ２圧縮機７に向けられる。
【００５０】
分離回収された当該ＣＯ２  ６は、定格運転中にＣＯ２圧縮機７によって圧縮される。当該圧縮ＣＯ２は、貯蔵又はさらなる処理のために転送される。
【００５１】
図３は、図２中に示された発電プラントを変更したものを示す。この例では、蒸気タービン１０が、背圧蒸気タービンとして構成されている。蒸気タービン１０から排出された低圧蒸気３１が、ＣＯ２分離回収システム２５に供給される。規模、運転条件及びＣＯ２分離回収システム２５によっては、低圧蒸気３１は、当該ＣＯ２分離回収システムに対して十分でありうる。図３のこの例では、運転の柔軟性を増すため、ＨＲＳＧからＣＯ２分離回収システム２５への追加の蒸気供給配管が示されている。
【００５２】
一般に、大規模な発電プラントは、１つの発電設備だけではなくて複数の発電設備から構成される。特に、コンバインドサイクル発電プラントは、多くの場合に複数のガスタービンを有する。これらのガスタービンは、１つのシャフト上に１つのガスタービン及び１つの蒸気タービンを有するシングルシャフト伝動機構として配置されているか又は独立したシャフト上に複数の蒸気タービン及び複数のガスタービンを有するいわゆるマルチシャフトのシャフトとして配置されている。マルチシャフトの配置に対しては、幾つかのガスタービンのＨＲＳＧから発生された蒸気が、多くの場合に１つの蒸気タービンを駆動させるために使用される。
【００５３】
図４は、３つの発電設備１及び２つのＣＯ２圧縮機７を有する発電プラントを概略的に示す。この例では、これらの発電設備１の全てが、固有の１つのＣＯ２分離回収システムを有する。各ＣＯ２圧縮機７は、このＣＯ２圧縮機７を駆動させるための発電機８及び蒸気タービン１０を有する１つのシャフト上に配置されている。濃縮ＣＯ２  ６は、ＣＯ２マニホールド１６によって３つの発電設備１から集められ、このマニホールドを還流し、２つのＣＯ２圧縮機７に搬送される。当該ＣＯ２分離回収システムによって分離回収される濃縮ＣＯ２  ６の質量流量に応じて、１つ又は双方のＣＯ２圧縮機７が稼働状態にある。３つの発電設備１から蒸気マニホールドを経由して２つの蒸気タービン１０に供給される生蒸気１５の供給力に応じて、１つ又は双方の蒸気タービン１０が、それぞれのＣＯ２圧縮機７を駆動させるか、又は、当該ＣＯ２圧縮機７が、発電機８だけによって駆動されるか若しくは当該蒸気タービン１０及び当該発電機８の双方によって駆動される。１つの蒸気制御バルブ１８が、各発電設備１からの生蒸気１５の流量を制御する。個々の蒸気タービン１０に供給される蒸気は、１つの蒸気タービン制御バルブ１７によって制御される。蒸気タービン１０から排出される蒸気が、集められて排出水蒸気／復水リターンマニホールド１９を経由して発電設備１に戻される。
【００５４】
図５は、ＣＯ２分離回収システム及び統合されたＣＯ２圧縮システムを有するコンバインドサイクル発電プラントを示す。このＣＯ２圧縮システムは、当該コンバインドサイクル発電プラントにさらに結合されている。この場合、ＣＣの蒸気部の蒸気タービン３０が、オーバーランニングクラッチ９を介して発電機３２を駆動させるために使用される。この配置では、追加の蒸気タービン１０が、発電機３２及びＣＯ２圧縮機７を駆動させるために要求されないため、ＣＯ２を分離回収するための追加のコストを低減する。しかしながら、当該ＣＯ２圧縮機が、可変の速度で運転される場合、大型の蒸気タービン３０が、この速度で運転される必要がある。図５中に示されたこの例では、低圧蒸気３１が、蒸気タービン３０から抽出されて当該ＣＯ２分離回収システムに供給される。一般に、蒸気タービン３０は、異なる圧力レベル、例えば高圧蒸気、中圧蒸気及び低圧蒸気３１で稼働する２つ又は３つの蒸気タービンの配置である。これらの蒸気タービンのうちの１つの蒸気タービンから蒸気を抽出するための別の構成として、低圧蒸気３１が、中圧蒸気タービンの排気口から取り出され得る。
【００５５】
上述した実施の形態及び図面中の実施の形態は、当業者にとっては典型的な実施の形態とは異なる実施の形態であって本発明の範囲内に含まれる。
【００５６】
例えば、４つのＧＴを有する１つのＣＣで３つのＣＯ２圧縮機だけを使用することが有益であることもある。これらのＣＯ２圧縮機のうちの１つのＣＯ２圧縮機が、例えばマトリクスコンバータを有する発電機を通じて可変速度で運転され、その他の２つのＣＯ２圧縮機が一定速度で運転される。非常に小さいＣＯ２質量流量に対しては、可変速ＣＯ２圧縮機だけが稼働している。当該質量流量が、第１ＣＯ２圧縮機の能力を超えると、第２圧縮機が、設計速度で始動して運転される。第３圧縮機の運転が必要になるまで、当該可変速圧縮機が、流量の変化を制御するために再び使用される。最終的に、設計速度で稼働している２つのＣＯ２圧縮機と共に、当該可変速ＣＯ２圧縮機が、ＣＯ２の流量に対応する要求に対して運転される。
【００５７】
最終的な選択は、ＣＯ２圧縮機の寸法限界、追加のコスト、並びにＣＯ２圧縮機の数及び速度制御される発電機の数、例えばマトリクスコンバータを有する発電機の数を考慮した資本的支出（ＣＡＰＥＸ）及び性能のトレードオフによって決定される。さらに、静止形周波数変換装置が発電機と一緒に使用されることが説明されている全ての例では、この組み合わせ（静止形周波数変換装置＋発電機）は、マトリクスコンバータと組み合わせた発電機によって交換され得る。
【符号の説明】
【００５８】
１    発電設備、発電ユニット
２    燃料供給
３    周囲空気、吸気
４    燃料排ガス再循環流（任意）
５    ＣＯ２が減損した燃焼排ガス
６    濃縮ＣＯ２
７    ＣＯ２圧縮機
８    発電機
９    オーバーランニングクラッチ
１０  蒸気タービン
１１  静止形周波数変換装置（ＳＦＣ）
１２  静止形周波数変換装置から駆動発電機への電気接続
１３  静止形周波数変換装置の配電網接続
１４  発電機から配電網への電気接続
１５  生蒸気
１６  ＣＯ２マニホールド
１７  蒸気タービン制御バルブ
１８  蒸気制御バルブ
１９  排出水蒸気／復水リターンマニホールド
２０  発電プラント
２１  ガスタービン圧縮機
２２  ガスタービン燃焼室
２３  ガスタービン
２４  排ガスボイラ
２５  ＣＯ２分離回収システム
２６  ＣＯ２分離回収システムへの蒸気配管
２７  蒸気タービン３０への蒸気配管
２８  ガスタービン発電機
２９  圧縮機
３０  蒸気タービン
３１  低圧蒸気
３２  水蒸気発電機
３３  圧縮ＣＯ２
３４  ガスタービン燃焼排ガス
３５  シャフト
３６  送電線
ＧＴ    ガスタービン
ＳＴ    蒸気タービン
ＣＣ    コンバインドサイクル発電プラント
ＣＯ２  二酸化炭素
【図１】
2011256870.tif 000003
【図２】
2011256870.tif 000004
【図３】
2011256870.tif 000005
【図４】
2011256870.tif 000006
【図５】
2011256870.tif 000007